(57)【特許請求の範囲】
【請求項１】
主電源及び従電源とを有し、前記主電源の供給状態を判断する制御手段と、常時電源供給が不要な付加機能を有する電気機器において、前記制御手段は機器電源投入時にのみ、前記主電源及び従電源のどちらの電源から電力が供給されているかを判断し、前記主電源から電力が供給されている場合は前記付加機能への電力の供給をオンとし、前記従電源から電力が供給されている場合は前記付加機能への電力の供給をオフとするとともに、前記従電源から電力が供給されている場合でも手動により前記付加機能への電力の供給をオンオフ可能としたことを特徴とする電気機器。
【請求項２】
前記主電源は商用電源、従電源はバッテリであることを特徴とする請求項１記載の電気機器。
【請求項３】
前記従電源で電気機器を駆動している場合、付加機能を動作させる場合は手動により付加機能への電力の供給を行うようにしたことを特徴とする請求項１記載の電源装置。
【請求項４】
付加機能は通信手段を含むことを特徴とする請求項１記載の電源装置。
【発明の詳細な説明】
【０００１】
【発明の属する技術分野】
本発明は、主電源（商用電源）及び従電源（バッテリ）を有し、これらのいずれかで駆動する電気機器に関し、電源投入時に、主電源（商用電源）が供給されているか否かを判断し、従電源で機器を使用する場合の、従電源の長時間使用を図った電気機器に関するものである。
【０００２】
【従来の技術】
例えば記録計などにおいて、主電源として商用電源を使用し、商用電源からの電力供給がない場合には、商用電源がオフになっていることを自動的に判断し、従電源であるバッテリを用いて装置の使用を継続するものが知られている。
【０００３】
ところで、記録計の様な装置では取り入れたデータを通信手段を介して他の装置に送信するものがある。従来は記録計の駆動源が商用電源かバッテリであるかにかかわらず、前記通信手段への電力の供給はオン状態とされていた。
【０００４】
【発明が解決しようとする課題】
ところで、記録計が商用電源で駆動されている場合は、通信手段へ常時電力を供給しても問題ないが、バッテリ駆動の場合は、常時使用しない通信手段への電力の供給はバッテリでの駆動時間の短縮につながる。
【０００５】
従ってバッテリ駆動の場合は、常時使用しない通信手段への電力の供給をオフとして長時間使用をはかり、商用電源からの電力の供給が復帰した場合は通信手段への電力の供給をオンとしている。このように、電源が異なる毎に通信手段への電力のオンオフをしなければならず、装置の操作者に負担がかかるという問題があった。
【０００６】
本発明の目的は、このような点に鑑み、電源の種類による通信手段への電力のオンオフの操作を不要とするとともにバッテリ駆動時の消費電力の削減を行ってバッテリ駆動時間の増大を図った電源装置を提供することを目的としている。
【０００７】
【課題を解決するための手段】
このような目的を達成するために本発明では、請求項１においては、
主電源及び従電源とを有し、前記主電源の供給状態を判断する制御手段と、常時電源供給が不要な付加機能を有する電気機器において、前記制御手段は機器電源投入時にのみ、前記主電源及び従電源のどちらの電源から電力が供給されているかを判断し、前記主電源から電力が供給されている場合は前記付加機能への電力の供給をオンとし、前記従電源から電力が供給されている場合は前記付加機能への電力の供給をオフとするとともに、前記従電源から電力が供給されている場合でも手動により前記付加機能への電力の供給をオンオフ可能としたことを特徴とするものである。
【０００８】
【作用】
制御手段が主電源か従電源で駆動されているかを判断し、主電源で駆動されている場合は常時電源供給が不要な付加機能への電力の供給を行い、従電源で駆動されている場合は常時電源供給が不要な付加機能への電力の供給を停止する。
【０００９】
【発明の実施の形態】
以下、図面を用いて本発明を詳しく説明する。図１は本発明に係る電気機器の実施の形態の一例を示す構成図である。図１において、商用電源１は機器内部の電源回路２に電力を供給する。電源回路２はＡＣ−ＤＣ変換機能を有しており、例えばＡＣ１００ＶをＤＣ５Ｖに変換する。
【００１０】
電源回路２の正電極側はダイオード４のアノードに接続され、ダイオード４のカソード側は機器電源スイッチ６を介して制御手段７を含む機器内の各回路（図示せず）に接続されている。バッテリ３の正電極側はダイオード５のアノードに接続されカソードはダイオード４のカソード（スイッチ６の一方の側）に接続されている。
【００１１】
制御手段７の一方の側はスイッチ６に接続され他方の側は電源回路２及びバッテリ３の負電極側極に接続されている。通信手段８の一方の側はスイッチ１０、６を介して電源回路２及びバッテリ３の正電極側に接続され、他方の側は電源回路２及びバッテリ３の負電極側に接続されている。
【００１２】
上記の構成において、制御手段７は通信線９を介して電源回路２の電源の供給状態を判断し、電源回路２の電源がオフでバッテリ駆動となっている場合はスイッチ１０をオフとして、通信手段８へのバッテリ電源からの電力の供給を停止する。
【００１３】
なお、機器電源スイッチをオンとしたときにバッテリ駆動となっていて、スイッチ１０がオフとなっているときに通信手段８を使用したい場合はオペレータが手動スイッチ１２をオンとすることにより、スイッチ１０をオンとする。
ここで、電源回路２からの出力電圧はバッテリ５の出力電圧より高く設定されており、電源回路２に商用電源からの電力が供給されている場合にはダイオード４、５の働きにより機器内の各回路には、電源回路２からの電力が供給される。
【００１４】
図２は本発明の電源装置のフローチャートを示す図である。フローに従って説明する。
▲１▼  において、オペレータが機器電源スイッチ６をオンとする。
▲２▼  において、制御手段７が電源回路２が動作状態であるか否かを判断し、
▲３▼  動作状態であれば、通信手段８の電源スイッチ１０をオンとする。
▲４▼  非動作状態であればバッテリ３から電力が供給されているので通信手段８の電源スイッチ１０をオフとする。
▲５▼  において、オペレータが通信手段を使用するためにスイッチ１２をオンとした場合は信号線１１を介して電源スイッチ１０がオンとなる（通信操作が終了したらバッテリ駆動の場合、再びスイッチ１２を押してスイッチ１０をオフとする）。
【００１５】
なお、本発明の以上の説明は、説明および例示を目的として特定の好適な実施例を示したに過ぎない。したがって本発明はその本質から逸脱せずに多くの変更、変形をなし得ることは当業者に明らかである。
【００１６】
例えば、  常時電源供給が不要な付加機能として記録手段であってもよく、他のものであっても良い。
【００１７】
【発明の効果】
以上説明したように本発明によれば、主電源及び従電源とを有し、前記主電源の供給状態を判断する制御手段と、常時電源供給が不要な付加機能を有する電気機器において、前記制御手段は機器電源投入時にのみ、前記主電源及び従電源のどちらの電源から電力が供給されているかを判断し、前記主電源から電力が供給されている場合は前記付加機能への電力の供給をオンとし、前記従電源から電力が供給されている場合は前記付加機能への電力の供給をオフとするとともに、前記従電源から電力が供給されている場合でも手動により前記付加機能への電力の供給をオンオフ可能としたので、従電源で駆動している場合の使用時間を長くすることができ、また、必要に応じて従電源で駆動している場合も付加機能を動作させることができる。
【図面の簡単な説明】
【図１】本発明に係る電気機器の実施の形態の一例を示す構成図である。
【図２】本発明の動作フローである。
【符号の説明】
１        商用電源
２        電源回路（主電源）
３        バッテリ（従電源）
４、５    ダイオード
６        電源スイッチ
７        制御手段
８        通信手段
９、１１  信号線
１０      通信手段電源スイッチ
１２      手動スイッチ
【図１】
0003565247.tif 000002
【図２】
0003565247.tif 000003